(57)【要約】【課題】タブ群とケースとを容易に絶縁できる蓄電装置及び蓄電装置の製造方法を提供する。【解決手段】二次電池１０は、蓋１４と導電部材２０との間に配置され、蓋１４と導電部材２０とを絶縁する第１部位５１、及び正極電極２１及び負極電極２２の積層方向の他端側において正極タブ群１５及び負極タブ群とケース本体１３の内面との間に配置され、正極タブ群１５及び負極タブ群とケース本体１３とを絶縁する第３部位５３を有する絶縁カバー５０を備える。正極タブ群１５及び負極タブ群は、集箔部１７ａにおいて積層方向の一端側に位置する第１端面Ａ１に、樹脂材料からなるバインダ６１と無機材料からなる複数の粒子６２とを含む絶縁層６０を備える。【選択図】図２
2019117737.tif 000002
【特許請求の範囲】
【請求項１】
正極と負極の電極が絶縁された状態で積層され、かつ前記電極から突出したタブが同じ極性同士で積層されたタブ群を有する電極組立体と、
前記電極組立体を収容するケース本体、及び前記ケース本体の開口部を閉塞する板状の蓋を有するケースと、
前記蓋に固定され、前記電極組立体と電気を授受する各極性の電極端子と、
同じ極性の前記タブ群と前記電極端子とを電気的に接続するとともに、前記蓋と、該蓋の内面に対向し、かつ前記タブ群が存在する前記電極組立体のタブ側端面との間に配置された導電部材と、
を備え、
前記電極組立体と前記蓋と前記電極端子と前記導電部材とは一体化され、
前記タブ群は、前記電極の積層方向の一端側に前記タブが寄せ集められた集箔部を有するとともに、前記積層方向の一端側から他端側に向けて湾曲している蓄電装置であって、
前記蓋と前記導電部材との間に配置され、前記蓋と前記導電部材とを絶縁する第１絶縁部、及び前記積層方向の他端側において前記タブ群と前記ケース本体の内面との間に配置され、前記タブ群と前記ケース本体とを絶縁する第２絶縁部を有する絶縁カバーを備え、
前記タブ群は、前記集箔部における前記積層方向の一端側の端面に、樹脂材料からなるバインダと無機材料からなる複数の粒子とを含む絶縁層を備えることを特徴とする蓄電装置。
【請求項２】
前記正極と負極の電極は、セパレータによって絶縁され、
前記ケース本体と前記蓋とは、溶接によって接合され、
前記無機材料は、六方晶構造を有し、
前記複数の粒子のうち少なくとも半分の粒子は、偏平面と直交するｃ軸が前記端面に対して傾斜配向した状態で存在する請求項１に記載の蓄電装置。
【請求項３】
正極と負極の電極が絶縁された状態で積層され、かつ前記電極から突出したタブが同じ極性同士で積層されたタブ群を有する電極組立体と、
前記電極組立体を収容するケース本体、及び前記ケース本体の開口部を閉塞する板状の蓋を有するケースと、
前記蓋に固定され、前記電極組立体と電気を授受する各極性の電極端子と、
同じ極性の前記タブ群と前記電極端子とを電気的に接続するとともに、前記蓋と、該蓋の内面に対向し、かつ前記タブ群が存在する前記電極組立体のタブ側端面との間に配置された導電部材と、
を備え、
前記電極組立体と前記蓋と前記電極端子と前記導電部材とは、ユニット部材として一体化され、
前記タブ群は、前記電極の積層方向の一端側に前記タブが寄せ集められた集箔部を有するとともに、前記積層方向の一端側から他端側に向けて湾曲している蓄電装置の製造方法であって、
第１絶縁部及び第２絶縁部を有する絶縁カバーの前記第１絶縁部を、前記ユニット部材における前記蓋と前記導電部材との間に配置するとともに、前記第２絶縁部を前記積層方向の他端側から前記タブ群を覆うように配置する絶縁カバー取付工程と、
前記集箔部における積層方向の一端側の面に、樹脂材料からなる液状のバインダと無機材料からなる粒子とを含む絶縁層材料を塗布又は吹き付けた後、前記絶縁層材料を加熱又は冷却する絶縁層形成工程と、
前記絶縁カバー取付工程及び前記絶縁層形成工程後に、前記ケース本体内に前記ユニット部材の電極組立体を収容する収容工程と、
を含むことを特徴とする蓄電装置の製造方法。
【請求項４】
前記正極と負極の電極は、セパレータによって絶縁され、
前記ケース本体と前記蓋とは、溶接によって接合され、
前記無機材料は、六方晶構造を有する請求項３に記載の蓄電装置の製造方法。
【発明の詳細な説明】
【技術分野】
【０００１】
本発明は、電極から突出したタブが積層されたタブ群を備え、タブ群は、電極の積層方向の一端側に複数のタブが寄せ集められた集箔部を有するとともに、積層方向の一端側から他端側に向けて湾曲している蓄電装置及び蓄電装置の製造方法に関する。
【背景技術】
【０００２】
従来から、ＥＶ（Electric Vehicle）やＰＨＶ（Plug in Hybrid Vehicle）などの車両には、走行用モータへの供給電力を蓄える蓄電装置としてリチウムイオン二次電池やニッケル水素二次電池などが搭載されている。二次電池は、シート状の正極及び負極の電極が絶縁された状態で積層された電極組立体と、電極組立体を収容するケースとを備える。電極組立体は、電極から突出したタブが同じ極性同士で積層されたタブ群を有する。タブ群は、電極の積層方向の一端側に複数のタブが寄せ集められた集箔部を有するとともに、積層方向の一端側から他端側に向けて湾曲している。ケースは、有底筒状のケース本体と、ケース本体の開口部を閉塞する蓋とを有する。
【０００３】
特許文献１に開示の二次電池は、電極組立体と電気を授受する電極端子と、タブ群と電極端子とを電気的に接続する導電部材とを備える。電極端子は、蓋に固定されている。導電部材は、蓋と、蓋の内面に対向し、かつタブ群が存在する電極組立体のタブ側端面との間に配置される。電極組立体、蓋、電極端子、導電部材、及びタブ群は、ユニット部材として一体化され、蓋と導電部材との隙間が小さくなった状態で、ケース本体に収容される。
【０００４】
また、特許文献２に開示の二次電池は、絶縁カバーを備える。絶縁カバーは、矩形板状の第１部位と、第１部位の短手方向の一端から第１部位の厚さ方向に延出する第２部位と、第１部位の短手方向の他端から第１部位の厚さ方向に延出する第３部位とを有する断面Ｕ字状のカバーである。絶縁カバーは、タブ群を介して導電部材と一体化された状態の電極組立体に対して蓋側から取り付けられる。第１部位は、蓋と導電部材との間に配置され、蓋と導電部材とを絶縁する。第２部位は、積層方向の一端側においてタブ群とケース本体との間に配置され、タブ群とケースとを絶縁する。第３部位は、積層方向の他端側においてタブ群とケース本体との間に配置され、タブ群とケースとを絶縁する。
【先行技術文献】
【特許文献】
【０００５】
【特許文献１】特開２０１６−１２２５３３号公報
【特許文献２】国際公開第２０１３／１５７４３３号
【発明の概要】
【発明が解決しようとする課題】
【０００６】
ところで、特許文献１のように電極組立体、蓋、電極端子、導電部材、及びタブ群が一体化されている場合、特許文献２のように蓋側から絶縁カバーを取り付けることができない。このため、例えば、絶縁カバーを第１部位の短手方向に２分割し、２分割した絶縁カバーを積層方向の両側からユニット部材に対して組み付けることで、タブ群とケースとを絶縁することが考えられる。この場合、絶縁カバーは、積層方向の一端側から取り付けられる第１絶縁カバー及び積層方向の他端側から取り付けられる第２絶縁カバーが蓋と導電部材との間に嵌合又は係止される機構を有する。第１絶縁カバーは、蓋と導電部材との間に配置される部位と、積層方向の一端側からタブ群を覆う部位とを有する。第２絶縁カバーは、蓋と導電部材との間に配置される部位と、積層方向の他端側からタブ群を覆う部位とを有する。しかしながら、ユニット部材において蓋と導電部材との隙間は僅かであるため、蓋と導電部材との間に第１絶縁カバー及び第２絶縁カバーを嵌合又は係止する作業は煩雑で時間を要する。
【０００７】
また、タブ群の集箔部は、タブ群が湾曲していることにより、積層方向の一端側に向けて膨らむように変形することがある。すると、積層方向の一端側の第１絶縁カバーは、積層方向の一端側においてタブ群とケース本体との間で位置ずれしてしまい、蓋と導電部材との間に嵌合又は係止されず、タブ群とケース本体との絶縁を確保できない虞がある。
【０００８】
本発明は、上記課題を解決するためになされたものであり、その目的は、タブ群とケースとを容易に絶縁できる蓄電装置及び蓄電装置の製造方法を提供することにある。
【課題を解決するための手段】
【０００９】
上記問題点を解決するための蓄電装置は、正極と負極の電極が絶縁された状態で積層され、かつ前記電極から突出したタブが同じ極性同士で積層されたタブ群を有する電極組立体と、前記電極組立体を収容するケース本体、及び前記ケース本体の開口部を閉塞する板状の蓋を有するケースと、前記蓋に固定され、前記電極組立体と電気を授受する各極性の電極端子と、同じ極性の前記タブ群と前記電極端子とを電気的に接続するとともに、前記蓋と、該蓋の内面に対向し、かつ前記タブ群が存在する前記電極組立体のタブ側端面との間に配置された導電部材と、を備え、前記電極組立体と前記蓋と前記電極端子と前記導電部材とは一体化され、前記タブ群は、前記電極の積層方向の一端側に前記タブが寄せ集められた集箔部を有するとともに、前記積層方向の一端側から他端側に向けて湾曲している蓄電装置であって、前記蓋と前記導電部材との間に配置され、前記蓋と前記導電部材とを絶縁する第１絶縁部、及び前記積層方向の他端側において前記タブ群と前記ケース本体の内面との間に配置され、前記タブ群と前記ケース本体とを絶縁する第２絶縁部を有する絶縁カバーを備え、前記タブ群は、前記集箔部における前記積層方向の一端側の端面に、樹脂材料からなるバインダと無機材料からなる複数の粒子とを含む絶縁層を備えることを要旨とする。
【００１０】
これによれば、絶縁カバーの第１絶縁部が導電部材に支持されることによって、絶縁カバーの第２絶縁部は、積層方向の他端側においてタブ群とケース本体の内面との間に位置する。このため、積層方向の他端側において、タブ群とケース本体の内面とは、絶縁カバーの第２絶縁部によって絶縁される。また、タブ群は、集箔部における積層方向の一端側の端面に絶縁層を備える。このため、積層方向の一端側において、タブ群とケース本体の内面とは、絶縁層によって絶縁される。よって、積層方向の一端側におけるタブ群とケース本体の内面との絶縁のために、絶縁部材を積層方向の一端側から導電部材と蓋との間に嵌合又は係止する必要が無い。その結果、タブ群とケース本体とを容易に絶縁できる。
【００１１】
また、バインダにより、集箔部の端面に対して粒子を定着させることができる。よって、タブ群が湾曲していることで集箔部が積層方向の一端側に向けて膨らむように変形したとしても、集箔部の端面から粒子が脱落することを抑制でき、タブ群とケース本体の内面との絶縁を確保できる。
【００１２】
また、上記蓄電装置について、前記正極と負極の電極は、セパレータによって絶縁され、前記ケース本体と前記蓋とは、溶接によって接合され、前記無機材料は、六方晶構造を有し、前記複数の粒子のうち少なくとも半分の粒子は、偏平面と直交するｃ軸が前記端面に対して傾斜配向した状態で存在するのが好ましい。
【００１３】
偏平面と直交するｃ軸方向の熱伝導率は、偏平面に沿うａ軸方向の熱伝導率よりも低いことが知られており、複数の粒子のうち少なくとも半分の粒子では、ｃ軸が集箔部の端面に対して傾斜配向している。このため、絶縁層の熱伝導率は、集箔部の端面に沿う方向よりも、集箔部の端面と直交する方向で低くなる。よって、ケース本体と蓋とを溶接する際の熱が絶縁層を介してタブに伝わることを抑制でき、セパレータが溶けることをより抑制できる。
【００１４】
上記問題点を解決するための蓄電装置の製造方法は、正極と負極の電極が絶縁された状態で積層され、かつ前記電極から突出したタブが同じ極性同士で積層されたタブ群を有する電極組立体と、前記電極組立体を収容するケース本体、及び前記ケース本体の開口部を閉塞する板状の蓋を有するケースと、前記蓋に固定され、前記電極組立体と電気を授受する各極性の電極端子と、同じ極性の前記タブ群と前記電極端子とを電気的に接続するとともに、前記蓋と、該蓋の内面に対向し、かつ前記タブ群が存在する前記電極組立体のタブ側端面との間に配置された導電部材と、を備え、前記電極組立体と前記蓋と前記電極端子と前記導電部材とは、ユニット部材として一体化され、前記タブ群は、前記電極の積層方向の一端側に前記タブが寄せ集められた集箔部を有するとともに、前記積層方向の一端側から他端側に向けて湾曲している蓄電装置の製造方法であって、第１絶縁部及び第２絶縁部を有する絶縁カバーの前記第１絶縁部を、前記ユニット部材における前記蓋と前記導電部材との間に配置するとともに、前記第２絶縁部を前記積層方向の他端側から前記タブ群を覆うように配置する絶縁カバー取付工程と、前記集箔部における積層方向の一端側の面に、樹脂材料からなる液状のバインダと無機材料からなる粒子とを含む絶縁層材料を塗布又は吹き付けた後、前記絶縁層材料を加熱又は冷却する絶縁層形成工程と、前記絶縁カバー取付工程及び前記絶縁層形成工程後に、前記ケース本体内に前記ユニット部材の電極組立体を収容する収容工程と、を含むことを要旨とする。
【００１５】
これによれば、絶縁カバーの第１絶縁部が導電部材に支持され、絶縁カバーの第２絶縁部は、積層方向の他端側からタブ群を覆う。このため、ケース本体内に電極組立体が収容されると、第２絶縁部は、タブ群とケース本体の内面との間に位置する。積層方向の他端側において、タブ群とケース本体の内面とは、絶縁カバーの第２絶縁部によって絶縁される。また、集箔部における積層方向の一端側の端面には、樹脂材料からなるバインダと無機材料からなる複数の粒子とを含む絶縁層材料が塗布又は吹き付けられた後、加熱又は冷却されることで、絶縁層が形成される。このため、ケース本体内に電極組立体が収容されると、絶縁層は、タブ群とケース本体の内面との間に位置する。積層方向の一端側において、タブ群とケース本体の内面とは、絶縁層によって絶縁される。
【００１６】
よって、積層方向の一端側におけるタブ群とケース本体の内面との絶縁のために、絶縁部材を積層方向の一端側から導電部材と蓋との間に嵌合又は係止する必要が無い。その結果、タブ群とケース本体とを容易に絶縁できる。
【００１７】
また、バインダにより、集箔部の端面に対して粒子を定着させることができる。よって、タブ群が湾曲していることで集箔部が積層方向の一端側に向けて膨らむように変形したとしても、集箔部の端面から粒子が脱落することを抑制でき、タブ群とケース本体の内面との絶縁を確保できる。
【００１８】
また、上記蓄電装置の製造方法について、前記正極と負極の電極は、セパレータによって絶縁され、前記ケース本体と前記蓋とは、溶接によって接合され、前記無機材料は、六方晶構造を有するのが好ましい。
【００１９】
絶縁層材料を集箔部の端面に塗布又は吹き付けると、液状のバインダの流れによって、粒子は、偏平面と直交するｃ軸が集箔部の端面に対して傾斜配向した状態で配置されることが多い。六方晶構造では、偏平面と直交するｃ軸方向の熱伝導率は、偏平面に沿うａ軸方向の熱伝導率よりも低いことが知られている。よって、絶縁層の熱伝導率は、集箔部の端面に沿う方向よりも、集箔部の端面と直交する方向で低くなる。よって、ケース本体と蓋とを溶接する際の熱が絶縁層を介してタブに伝わることをより抑制でき、セパレータが溶けることをより抑制できる。
【発明の効果】
【００２０】
本発明によれば、タブ群とケースとを容易に絶縁できる。
【図面の簡単な説明】
【００２１】
【図１】実施形態の二次電池の分解斜視図。
【図２】（ａ）は二次電池の断面図、（ｂ）は（ａ）の拡大図。
【図３】二次電池の断面図。
【図４】粒子の斜視図。
【発明を実施するための形態】
【００２２】
以下、蓄電装置及び蓄電装置の製造方法を二次電池及び二次電池の製造方法に具体化した実施形態を図１〜図４にしたがって説明する。
図１に示すように、蓄電装置としての二次電池１０は、ケース１１を備える。二次電池１０は、ケース１１に収容された電極組立体１２及び電解液を備える。ケース１１は、直方体状のケース本体１３と、ケース本体１３の開口部１３ａを閉塞する矩形平板状の蓋１４とを有する。ケース１１を構成するケース本体１３と蓋１４は、何れも金属製（例えば、ステンレスやアルミニウム）である。本実施形態の二次電池１０は、その外観が角型をなす角型電池である。また、本実施形態の二次電池１０は、リチウムイオン電池である。
【００２３】
ケース本体１３は、矩形板状の底壁１３ｂと、底壁１３ｂの一対の長側縁部から立設された長側壁１３ｃと、底壁１３ｂの一対の短側縁部から立設された短側壁１３ｄとを有する。蓋１４において、ケース１１の内側に臨む面を内面としての下面１４ａとし、ケース１１の外側に臨む面を上面１４ｂとする。ケース１１は、電極組立体１２を収容したケース本体１３の長側壁１３ｃ及び短側壁１３ｄと、ケース本体１３の開口部１３ａを閉塞した蓋１４とを溶接することで形成される。また、電解液は、ケース本体１３と蓋１４とを溶接した後で、蓋１４に形成された図示しない注液口からケース１１内に注入される。
【００２４】
図２に示すように、電極組立体１２は、シート状の複数の正極の電極としての正極電極２１と、シート状の複数の負極の電極としての負極電極２２と、シート状の複数のセパレータ２３とを備える。電極組立体１２は、正極電極２１と負極電極２２との間にセパレータ２３を介在させ、かつ相互に絶縁させた状態で積層した層状構造を備える。
【００２５】
正極電極２１は、矩形シート状の正極金属箔（例えばアルミニウム箔）２４と、正極金属箔２４の両面に存在する正極活物質層２５とを有する。正極電極２１は、一対の長辺に沿う縁部のうちの一方の縁部にタブ側縁部２１ａを備える。正極電極２１は、タブ側縁部２１ａの一部から突出した形状のタブとしての正極タブ２６を有する。正極タブ２６は、正極活物質層２５が存在せず、正極金属箔２４そのもので構成されている。本実施形態では、正極タブ２６は矩形状であり、正極タブ２６の短手方向は、タブ側縁部２１ａに沿う方向と一致する。
【００２６】
負極電極２２は、矩形シート状の負極金属箔（例えば銅箔）２７と、負極金属箔２７の両面に存在する負極活物質層２８とを有する。負極電極２２は、一対の長辺に沿う縁部のうちの一方の縁部にタブ側縁部２２ａを備える。負極電極２２は、タブ側縁部２２ａの一部から突出した形状のタブとしての負極タブ２９を有する（図１参照）。負極タブ２９は、負極活物質層２８が存在せず、負極金属箔２７そのもので構成されている。本実施形態では、負極タブ２９は矩形状であり、負極タブ２９の短手方向は、タブ側縁部２２ａに沿う方向と一致する。負極タブ２９は、正極電極２１及び負極電極２２が積層された状態で、正極タブ２６と重ならない位置に存在する。セパレータ２３は、絶縁性を有し、正極電極２１と負極電極２２とを絶縁する。正極電極２１、負極電極２２、及びセパレータ２３が積層された方向を積層方向とする。
【００２７】
二次電池１０は、各正極電極２１の正極タブ２６が積層された正極タブ群１５と、各負極電極２２の負極タブ２９が積層された負極タブ群１６とを備える。正極タブ群１５及び負極タブ群１６はそれぞれ、積層方向の一端側に複数の正極タブ２６及び負極タブ２９が寄せ集められた集箔部１７ａを有するとともに、積層方向の一端側から他端側に向けて湾曲している。正極タブ群１５及び負極タブ群１６において、積層方向の一端側から他端側に向けて延びる部分を第１延出部１７ｂとする。集箔部１７ａにおけるタブ側縁部２１ａ，２２ａとは反対側の端部と、第１延出部１７ｂの一端部とは、積層方向の一端側で連続している。また、正極タブ群１５及び負極タブ群１６において、第１延出部１７ｂの他端部は、積層方向の他端側から一端側に向けて湾曲している。積層方向の他端側から一端側に向けて延びる部分を第２延出部１７ｃとする。
【００２８】
正極タブ群１５の集箔部１７ａは、積層方向の一端面に端面としての第１端面Ａ１を備え、積層方向の他端面に第２端面Ａ２を備える。第１端面Ａ１は、積層方向の一端に位置する正極タブ２６によって構成され、第２端面Ａ２は、積層方向の他端に位置する正極タブ２６によって構成される。同様に、負極タブ群１６の集箔部１７ａは、積層方向の一端面に端面としての第１端面Ａ１を備え、積層方向の他端面に第２端面Ａ２を備える。第１端面Ａ１は、積層方向の一端に位置する負極タブ２９によって構成され、第２端面Ａ２は、積層方向の他端に位置する負極タブ２９によって構成される。
【００２９】
電極組立体１２は、正極タブ群１５及び負極タブ群１６が存在する端面にタブ側端面１２ａを備える。タブ側端面１２ａは、正極電極２１のタブ側縁部２１ａ、負極電極２２のタブ側縁部２２ａ、及びセパレータ２３の縁部を寄せ集めて形成されている。また、電極組立体１２は、タブ側端面１２ａと反対側の端面に底側端面１２ｂを備え、タブ側端面１２ａ及び底側端面１２ｂと直交する端面に側端面１２ｃを備える。
【００３０】
図１、図２（ａ）、及び図３に示すように、二次電池１０は、電極組立体１２と電気を授受する電極端子としての正極端子１８ａ及び負極端子１８ｂを備える。正極端子１８ａ及び負極端子１８ｂはそれぞれ、蓋１４に固定されている。正極端子１８ａは、正極の引出端子１９ａを備え、負極端子１８ｂは、負極の引出端子１９ａを備える。各引出端子１９ａは、蓋１４の上面１４ｂより外側に突出している。正極の引出端子１９ａは、正極の導電部材２０と接合され、正極の導電部材２０の下面は、正極タブ群１５と接合されている。これにより、正極端子１８ａは、正極の導電部材２０及び正極タブ群１５を介して電極組立体１２と電気的に接続されている。同様に、負極の引出端子１９ａは、負極の導電部材２０と接合され、負極の導電部材２０の下面は、負極タブ群１６と接合されている。これにより、負極端子１８ｂは、負極の導電部材２０及び負極タブ群１６を介して電極組立体１２と電気的に接続されている。各導電部材２０は、蓋１４の下面１４ａと電極組立体１２のタブ側端面１２ａとの間に配置されている。
【００３１】
正極端子１８ａ及び負極端子１８ｂはそれぞれ、蓋１４の上面１４ｂで引出端子１９ａと電気的に接続された端子接続部材１９ｂと、蓋１４の外側で端子接続部材１９ｂと電気的に接続された外部接続端子１９ｃを備える。正極端子１８ａ及び負極端子１８ｂは、端子接続部材１９ｂ及び外部接続端子１９ｃを蓋１４から絶縁する外側絶縁部材１９ｄを蓋１４の上面１４ｂに備える。電極組立体１２、蓋１４、正極端子１８ａ、負極端子１８ｂ、及び導電部材２０は、ユニット部材Ｗとして一体化されている。ユニット部材Ｗにおいて、正極タブ群１５及び負極タブ群１６は、集箔部１７ａ、第１延出部１７ｂ、及び第２延出部１７ｃが形成された状態である。
【００３２】
二次電池１０は、電極組立体１２を覆う絶縁シート４１を備える。絶縁シート４１は、電極組立体１２のタブ側端面１２ａを除く５面、すなわち底側端面１２ｂ及び側端面１２ｃを覆っている。絶縁シート４１は、電極組立体１２の底側端面１２ｂとケース本体１３の底壁１３ｂとを絶縁するとともに、電極組立体１２の側端面１２ｃとケース本体１３の長側壁１３ｃ又は短側壁１３ｄとを絶縁する。
【００３３】
二次電池１０は、樹脂製の絶縁カバー５０を備える。絶縁カバー５０は、矩形板状の第１絶縁部としての第１部位５１と、第１部位５１と一部が対向する矩形板状の第２部位５２と、第１部位５１の長手方向に沿う一辺と第２部位５２の長手方向に沿う一辺とを接続する第２絶縁部としての第３部位５３とを備える。絶縁カバー５０は、ユニット部材Ｗに対して積層方向の他端側から一端側に向けて差し込まれることで取り付けられる。絶縁カバー５０は、第１部位５１及び第２部位５２における最も面積の大きい面が蓋１４の下面１４ａと沿うように配置される。
【００３４】
図２（ａ）及び図３に示すように、第１部位５１は、蓋１４の下面１４ａと導電部材２０の上面との間に配置され、導電部材２０に支持されている。第２部位５２は、電極組立体１２のタブ側端面１２ａと、正極タブ群１５及び負極タブ群１６の第２延出部１７ｃとの間に位置する。第２部位５２は、第２延出部１７ｃを電極組立体１２側から覆う。第２延出部１７ｃは、導電部材２０の下面と、第２部位５２と、第３部位５３とで区画された隙間に入り込んだ状態にある。
【００３５】
図１及び図３に示すように、第２部位５２の長手方向の寸法は、第１部位５１の長手方向の寸法よりも長い。第２部位５２は、長手方向の一端側に負極絶縁部５２ａを備え、長手方向の他端側に正極絶縁部５２ｂを備える。負極絶縁部５２ａは、負極端子１８ｂにおける引出端子１９ａとタブ側端面１２ａとの間に位置し、負極端子１８ｂと電極組立体１２とを絶縁する。正極絶縁部５２ｂは、正極端子１８ａにおける引出端子１９ａとタブ側端面１２ａとの間に位置し、正極端子１８ａと電極組立体１２とを絶縁する。
【００３６】
第３部位５３は、正極タブ群１５及び負極タブ群１６を積層方向の他端側から覆う。第３部位５３は、積層方向の他端側において正極タブ群１５及び負極タブ群１６とケース本体１３の長側壁１３ｃの内面との間に位置し、正極タブ群１５及び負極タブ群１６とケース本体１３とを絶縁する。
【００３７】
図２（ａ）及び図３に示すように、正極タブ群１５及び負極タブ群１６はそれぞれ、絶縁層６０を備える。正極タブ群１５の絶縁層６０は、正極タブ群１５の集箔部１７ａの第１端面Ａ１に存在し、積層方向の一端側において正極タブ群１５とケース本体１３の長側壁１３ｃの内面とを絶縁する。負極タブ群１６の絶縁層６０は、負極タブ群１６の集箔部１７ａの第１端面Ａ１に存在し、積層方向の一端側において負極タブ群１６とケース本体１３の長側壁１３ｃの内面とを絶縁する。
【００３８】
本実施形態の絶縁層６０は、正極タブ２６及び負極タブ２９の長手方向において、電極組立体１２のタブ側端面１２ａから導電部材２０に接合される部分までの範囲に存在する。また、絶縁層６０は、正極タブ２６及び負極タブ２９の短手方向全体に存在する。絶縁層６０の厚みは、約５００μｍである。
【００３９】
図２（ｂ）に示すように、絶縁層６０は、樹脂材料からなるバインダ６１と、無機材料からなる複数の粒子６２と、図示しない気泡とを含む。本実施形態の樹脂材料は、エポキシ樹脂である。エポキシ樹脂は、熱硬化性を有する。また、本実施形態の無機材料は、六方晶窒化ホウ素（ｈ−ＢＮ）である。
【００４０】
このため、図４に示すように、粒子６２は、六角形の一対の偏平面６２ａと、各偏平面６２ａの各縁部同士を繋ぐ６つの側面６２ｂとを有する。六方晶構造において、偏平面６２ａと直交するｃ軸方向の熱伝導率は、偏平面６２ａに沿うａ軸方向の熱伝導率の１０分の１以下であることが知られている。図２（ｂ）に示すように、複数の粒子６２は、偏平面６２ａと直交するｃ軸が集箔部１７ａの第１端面Ａ１に対して傾斜配向した状態で存在する。なお、傾斜配向した状態とは、ｃ軸が集箔部１７ａの第１端面Ａ１と直交した状態も含む。本実施形態では、絶縁層６０に含まれる粒子６２の傾斜配向比率Ｘａは、６０≦Ｘａ≦８０［％］である。
【００４１】
ここで、傾斜配向比率Ｘａ［％］は、絶縁層６０の表面をＸ線回折法で測定し、六方晶窒化ホウ素の各結晶面に由来する回折ピークの強度の和がＸ０であり、六方晶窒化ホウ素の（００２）結晶面に由来する回折ピークの強度がＸ１である場合、以下の式（＊）によって表される。
【００４２】
Ｘａ＝［１−（Ｘ１／Ｘ０）］×１００…（＊）
次に、二次電池１０の製造方法のうち、ユニット部材Ｗに対して絶縁カバー５０を取り付ける絶縁カバー取付工程、絶縁層６０を形成する絶縁層形成工程、及びユニット部材Ｗの電極組立体１２をケース本体１３に収容する収容工程について説明する。収容工程は、絶縁カバー取付工程及び絶縁層形成工程の後に行われる。
【００４３】
絶縁カバー取付工程では、ユニット部材Ｗに対して積層方向の他端側から一端側に向けて絶縁カバー５０を取り付ける。蓋１４の下面１４ａと導電部材２０の上面との間に第１部位５１を嵌合し、電極組立体１２のタブ側端面１２ａと正極タブ群１５及び負極タブ群１６の第２延出部１７ｃとの間に第３部位５３を嵌合する。すると、第１部位５１は、導電部材２０に支持される。また、第３部位５３は、正極タブ群１５及び負極タブ群１６を積層方向の他端側から覆う状態に配置される。
【００４４】
絶縁層形成工程では、まず、絶縁層材料を用意する。絶縁層材料は、液状のバインダ６１と複数の粒子６２との混合物である。次に、大気圧の環境下で、正極タブ群１５の集箔部１７ａの第１端面Ａ１に、絶縁層材料を塗布する。すると、液状のバインダ６１の流れによって、複数の粒子６２は、偏平面６２ａと直交するｃ軸が集箔部１７ａの第１端面Ａ１に対して傾斜配向した状態で配置される。また、絶縁層材料を塗布する際に気泡が形成される。そして、集箔部１７ａの第１端面Ａ１に塗布された絶縁層材料を加熱する。これにより、バインダ６１が硬化し、集箔部１７ａの第１端面Ａ１に絶縁層６０が形成される。負極タブ群１６についても同様の方法で絶縁層６０が形成される。
【００４５】
収容工程では、ユニット部材Ｗの電極組立体１２を底側端面１２ｂ側からケース本体１３内に挿入する。ユニット部材Ｗは、絶縁カバー５０が取り付けられるとともに、正極タブ群１５及び負極タブ群１６に絶縁層６０が形成された状態である。よって、電極組立体１２がケース本体１３に収容された状態では、絶縁カバー５０の第３部位５３は、積層方向の他端側において、正極タブ群１５及び負極タブ群１６とケース本体１３の長側壁１３ｃの内面との間に位置する。絶縁層６０は、積層方向の一端側において、正極タブ群１５及び負極タブ群１６とケース本体１３の長側壁１３ｃの内面との間に位置する。
【００４６】
次に、本実施形態の効果を作用とともに記載する。
（１）絶縁カバー５０の第１部位５１が導電部材２０に支持されることによって、絶縁カバー５０の第３部位５３は、積層方向の他端側において正極タブ群１５及び負極タブ群１６とケース本体１３の内面との間に位置する。このため、積層方向の他端側において、正極タブ群１５及び負極タブ群１６と、ケース本体１３の内面とは、絶縁カバー５０の第３部位５３によって絶縁される。また、正極タブ群１５及び負極タブ群１６は、集箔部１７ａの第１端面Ａ１に絶縁層６０を備える。このため、積層方向の一端側において、正極タブ群１５及び負極タブ群１６と、ケース本体１３の内面とは、絶縁層６０によって絶縁される。絶縁層６０は、集箔部１７ａの第１端面Ａ１に絶縁層材料を塗布し、加熱することで形成される。
【００４７】
よって、積層方向の一端側における正極タブ群１５及び負極タブ群１６とケース本体１３の内面との絶縁のために、絶縁部材を積層方向の一端側から導電部材２０の上面と蓋１４の下面１４ａとの間に嵌合又は係止する必要が無い。よって、正極タブ群１５及び負極タブ群１６とケース本体１３とを容易に絶縁できる。
【００４８】
また、バインダ６１により、集箔部１７ａの第１端面Ａ１に対して粒子６２を定着させることができる。よって、正極タブ群１５や負極タブ群１６が湾曲していることで集箔部１７ａが積層方向の一端側に向けて膨らむように変形したとしても、第１端面Ａ１から粒子６２が脱落することを抑制でき、正極タブ群１５及び負極タブ群１６とケース本体１３の内面との絶縁を確保できる。
【００４９】
（２）絶縁層６０は、六方晶窒化ホウ素からなる粒子６２を含むため、耐熱性を有する。よって、ケース本体１３と蓋１４とを溶接する際の熱が正極タブ２６又は負極タブ２９に伝わることが抑制され、セパレータ２３が溶けることを抑制できる。
【００５０】
（３）粒子６２は、六方晶構造を有する。絶縁層材料を集箔部１７ａの第１端面Ａ１に塗布すると、液状のバインダ６１の流れによって、粒子６２は、偏平面６２ａと直交するｃ軸が集箔部１７ａの第１端面Ａ１に対して傾斜配向した状態で配置されることが多い。六方晶構造では、偏平面６２ａと直交するｃ軸方向の熱伝導率は、偏平面６２ａに沿うａ軸方向の熱伝導率よりも低い。よって、絶縁層６０の熱伝導率は、集箔部１７ａの第１端面Ａ１に沿う方向よりも、集箔部１７ａの第１端面Ａ１と直交する方向で低くなる。よって、ケース本体１３と蓋１４とを溶接する際の熱が正極タブ２６又は負極タブ２９に伝わることを抑制でき、セパレータ２３が溶けることを抑制できる。
【００５１】
（４）絶縁層材料は、大気圧の環境下で塗布されるため、真空の環境下で塗布される場合と比較して、絶縁層６０に気泡が形成されやすくなる。このため、ケース本体１３と蓋１４とを溶接する際の熱は、絶縁層６０に含まれる気泡によって断熱され、正極タブ２６又は負極タブ２９に伝わることが抑制される。よって、セパレータ２３が溶けることをより抑制できる。また、電解液は、ケース１１内に注入される際に絶縁層６０に接触する。絶縁層６０に接触した電解液の一部は、絶縁層６０の表面に存在する気泡の内部に貯留される。気泡に貯留された電解液は、例えば二次電池１０の長期使用時などに、絶縁層６０を伝って流れ落ちる。これにより、ケース１１の底側に溜まる電解液の液量を増やすことができる。
【００５２】
なお、上記実施形態は、以下のように変更してもよい。
○  正極電極２１において、正極活物質層２５は正極金属箔２４の片面に存在してもよい。同様に、負極電極２２において、負極活物質層２８は負極金属箔２７の片面に存在してもよい。
【００５３】
○  正極タブ群１５は、積層方向の他端側から一端側に向けて湾曲せず、第２延出部１７ｃを備えない構成であってもよい。同様に、負極タブ群１６は、積層方向の他端側から一端側に向けて湾曲せず、第２延出部１７ｃを備えない構成であってもよい。
【００５４】
○  絶縁カバー５０は、第２部位５２を備えない構成であってもよい。
○  絶縁カバー取付工程後に絶縁層形成工程を行ってもよいし、絶縁層形成工程後に絶縁カバー取付工程を行ってもよい。
【００５５】
○  正極タブ群１５の絶縁層６０又は負極タブ群１６の絶縁層６０を省略してもよい。正極タブ群１５の絶縁層６０を省略した場合、例えば、正極タブ群１５の第１端面Ａ１に絶縁シートを貼るなど、蓋１４と導電部材２０との間に絶縁カバーを嵌合又は係止する以外の方法によって、積層方向の一端側において正極タブ群１５とケース本体１３の内面とを絶縁する。負極タブ群１６の絶縁層６０を省略した場合、例えば、負極タブ群１６の第１端面Ａ１に絶縁シートを貼るなど、蓋１４と導電部材２０との間に絶縁カバーを嵌合又は係止する以外の方法によって、積層方向の一端側において負極タブ群１６とケース本体１３の内面とを絶縁する。
【００５６】
○  絶縁層６０は、正極タブ群１５の集箔部１７ａの第２端面Ａ２にも存在してもよい。同様に、絶縁層６０は、負極タブ群１６の集箔部１７ａの第２端面Ａ２にも存在してもよい。
【００５７】
○  絶縁層６０は、少なくとも正極タブ群１５におけるケース本体１３と接触し得る箇所に存在すればよい。同様に、絶縁層６０は、少なくとも負極タブ群１６におけるケース本体１３と接触し得る箇所に存在すればよい。
【００５８】
○  絶縁層６０の厚みは、１０〜１０００μｍの範囲で適宜変更してよい。絶縁層６０が１０μｍより薄い場合、正極タブ群１５及び負極タブ群１６とケース本体１３の内面との絶縁性が低下する虞がある。一方、絶縁層６０の厚みが１０００μｍより厚い場合、バインダ６１にひび割れが生じたり、正極タブ２６や負極タブ２９から絶縁層６０が剥離したりする虞がある。
【００５９】
○  バインダ６１の樹脂材料は、エポキシ樹脂に限定されない。バインダ６１の樹脂材料は、例えば、不飽和ポリエステル樹脂、フェノール樹脂、メラミン樹脂、シリコーン樹脂、ポリイミド樹脂などの熱硬化性樹脂であってもよいし、合成ゴム系樹脂、アクリル樹脂、オレフィン系樹脂などの熱可塑性樹脂であってもよい。なお、バインダ６１の樹脂材料に熱可塑性樹脂を用いる場合、集箔部１７ａの第１端面Ａ１に絶縁層材料を塗布した後、冷却することでバインダ６１を硬化させる。
【００６０】
○  粒子６２の無機材料は、六方晶窒化ホウ素に限定されない。粒子６２の無機材料は、例えば、六方晶酸化アルミニウム（β−アルミナ）、六方晶窒化アルミニウム、六方晶炭化ケイ素（α相）など絶縁性を有する無機材料であってもよい。
【００６１】
○  粒子６２は、偏平面６２ａと直交するｃ軸が集箔部１７ａの第１端面Ａ１に沿うように配置されていてもよいが、絶縁層６０に含まれる粒子６２のうち少なくとも半分の粒子６２について、偏平面６２ａと直交するｃ軸が集箔部１７ａの第１端面Ａ１に対して傾斜配向しているのが好ましい。この場合、ケース本体１３と蓋１４とを溶接する際にセパレータ２３が溶けることをより抑制できる。また、ｃ軸が集箔部１７ａの第１端面Ａ１と直交している粒子６２が多数存在するのが好ましい。
【００６２】
○  正極タブ群１５の集箔部１７ａの第１端面Ａ１に絶縁層材料を吹き付けた後、加熱又は冷却することで、絶縁層６０を形成してもよい。同様に、負極タブ群１６の集箔部１７ａの第１端面Ａ１に絶縁層材料を吹き付けた後、加熱又は冷却することで、絶縁層６０を形成してもよい。
【００６３】
○  絶縁層６０は、気泡を含んでいなくてもよい。
○  蓄電装置は、例えばキャパシタなど、二次電池以外の蓄電装置にも適用可能である。
【００６４】
○  二次電池１０は、リチウムイオン二次電池以外の他の二次電池であってもよい。要は、正極用の活物質と負極用の活物質との間をイオンが移動するとともに電荷の教授を行うものであればよい。
【符号の説明】
【００６５】
１０…蓄電装置としての二次電池、１１…ケース、１２…電極組立体、１３…ケース本体、１３ａ…開口部、１４…蓋、１５…タブ群としての正極タブ群、１６…タブ群としての負極タブ群、１７ａ…集箔部、１８ａ…電極端子としての正極端子、１８ｂ…電極端子としての負極端子、２０…導電部材、２１…電極としての正極電極、２２…電極としての負極電極、２３…セパレータ、２６…タブとしての正極タブ、２９…タブとしての負極タブ、５０…絶縁カバー、５１…第１絶縁部としての第１部位、５３…第２絶縁部としての第３部位、６０…絶縁層、６１…バインダ、６２…粒子、６２ａ…偏平面、Ａ１…端面としての第１端面、Ｗ…ユニット部材。
【図１】
2019117737.tif 000003
【図２】
2019117737.tif 000004
【図３】
2019117737.tif 000005
【図４】
2019117737.tif 000006